(57)【要約】　　　（修正有）【課題】　生分解性樹脂を用いてロケットカプセル型の固形肥料でありながら、これを土壌中に埋め込むと、土壌中に樹脂状の固形物を残さず、しかも収納された肥料成分が時間をかけて溶出し、土壌微生物にエネルギーを与え、活性化することにより土壌の肥力化を図らんとするものである。【解決手段】　含水率が１０％〜２０％になるまで発酵分解させてなる完熟堆肥を主体として、これに生分解性樹脂を結合材として混練したものをペレット状にして樹脂成形性堆肥原料となし、当該樹脂成形性堆肥原料を用いて、先端部を先細形状にした先端差込ブロック２となし、中間部を中間筒型胴体ブロック３となし、基端部を後端筒型胴体閉成ブロック４に樹脂成形しておき、これらの部材を組み合わせて一体のロケット型肥料カプセル体１となし、そのロケット型肥料カプセル体内に肥料や土壌改良材や必要に応じて幼苗又は種子を収納したことを特徴とする生分解性ロケットカプセル型肥料体である。【選択図】　　図１　
0003100525.tif 000002
【実用新案登録請求の範囲】
【請求項１】
含水率が１０％〜２０％になるまで発酵分解させてなる完熟堆肥を主体として、これに生分解性樹脂を結合材として混練したものをペレット状にして樹脂成形性堆肥原料となし、当該樹脂成形性堆肥原料を用いて、先端部を先細形状にした先端差込ブロックとなし、中間部を中間筒型胴体ブロックとなし、基端部を後端筒型胴体閉成ブロックに樹脂成形しておき、これらの部材を組み合わせて一体のロケット型肥料カプセル体となし、そのロケット型肥料カプセル体内に肥料や土壌改良材や必要に応じて幼苗又は種子を収納したことを特徴とする生分解性ロケットカプセル型肥料体。
【請求項２】
中間筒型胴体ブロックの側壁の一部に厚さが肉薄となる部分を形成し、ロケット型肥料カプセル体が時間差をもって分解したり、崩壊したりするようになし、当該ロケット型肥料カプセル体に収納されている肥料や土壌改良材や必要に応じて幼苗又は種子の一部が時間をかけて次第に漏れ出たり溶出したりするようにしたことを特徴とする請求項1に記載する生分解性ロケットカプセル型肥料体。
【請求項３】
含水率が１０％〜２０％になるまで発酵分解させてなる完熟堆肥を主体とし、これに生分解性樹脂を結合材として混練したものをペレット状にして樹脂成形性堆肥原料となし、当該樹脂成形性堆肥原料を用いて、組み立て自在に樹脂形成された、先端差込ブロックと、単数または複数の中間筒型胴体ブロックと、後端筒型胴体閉成ブロックとからなる、生分解性ロケットカプセル型肥料体であって、
当該先端差込ブロックは、先端部を先細形状に形成しそれに連続して内側に空洞を有する胴体部を形成し、更にその後端部に連結嵌合凹部を形成してなり、
前記中間筒型胴体ブロックは、中芯部に空洞を有する筒型胴体となっておりその筒型胴体の前端部は前記先端差込ブロックの嵌合部に挿入嵌合できる連結嵌合凸部が形成されており、同前端部には空洞を閉塞する節壁が形成されていて、その節壁には必要に応じて連通小孔が穿設されており、筒型胴体の後端開口部には連結嵌合凹部が形成されているが、当該中間筒型胴体ブロックを必要に応じて複数個用意してあり、
前記後端筒型胴体閉成ブロックは、筒型胴体部の後端開口部を閉成し得る蓋部とその前面に前記中間筒型胴体ブロックの連結嵌合凹部に挿入嵌合できるような栓凸部が形成されてなり、
前記先端差込ブロックの後ろに単数または複数の中間筒型胴体ブロックを嵌合連結し、更に当該中間筒型胴体ブロックの最後部における後端開口部に後端筒型胴体閉成ブロックを連結組み立てて全体がロケット型肥料カプセル体となるようになし、節壁により区分されている空洞内に肥料や土壌改良材や必要に応じて幼苗又は種子を収納したことを特徴とする組み立て式生分解性ロケットカプセル型肥料体。
【請求項４】
含水率が１０％〜２０％になるまで発酵分解させてなる完熟堆肥を主体とし、これに生分解性樹脂を結合材として混練したものをペレット状にして樹脂成形性堆肥原料となし、当該樹脂成形性堆肥原料を用いて、組み立て自在に樹脂形成された、先端差込ブロックと、単数または複数の中間筒型胴体ブロックと、後端筒型胴体閉成ブロックとからなる、生分解性ロケットカプセル型肥料体であって、
当該先端差込ブロックの胴体部における側壁や、中間筒型胴体ブロックの側壁の一部に厚さが肉薄となる部分を形成し、生分解性ロケットカプセル型肥料体が時間差をもって分解したり、崩壊したりするようになし、生分解性ロケットカプセル型肥料体内に収納されている肥料や土壌改良材や必要に応じて幼苗又は種子の一部が時間をかけて次第に漏れ出たり溶出したりするようにしたことを特徴とする請求項３に記載する生分解性ロケットカプセル型肥料体。
【請求項５】
畜糞を主体としてこれに動植物性有機質物を補助材として加えた堆肥原料の水分を６０％〜６５％に調整して発酵させ、その発酵工程中では切り返し作業を繰り返しながら発酵分解をさせ、含水率が１０％〜２０％になるまで発酵分解させてなる完熟堆肥を主原料となし、これに生分解性樹脂を結合材として混練したものをペレット状にしてなる樹脂成形性堆肥原料。
【考案の詳細な説明】
【技術分野】
【０００１】
　本考案は、農園や造園や緑化工事などでの植生作業に際して、その基盤となる土壌に簡単に差し込むだけで植生植物に養分や肥料を継続的に供給することのできる生分解性ロケットカプセル型肥料体に関するものである。
【背景技術】
【０００２】
　従来より、生分解性プラスチックに肥料成分を混合したもので、杭型や筒型などの成型体に加工した肥料が、各方面で開発され提案されている。
【０００３】
例えば特開平１１−２８９８３３号は、透明な生分解性プラスチックにより、上部に開口部を有し下部に地盤貫入部を有する筒と、上記開口部を閉鎖する蓋とを形成し、上記筒に肥料を充填し、上記地盤貫入部の先端部分にアンモニア態窒素肥料を保持せしめたことを特徴とする生分解性肥料筒である。
【０００４】
また、特開平１０−１５８０８３号は、生分解性プラスチックをハンマーで打ち込める杭型に成型し、この成型物中に植物用肥料を混合させた肥料供給用及び固定杭である。その要約書には、生分解物質のポリ乳酸、ポリビニールアルコール、を主成分に酢酸ビニール、廃棄物であるイモガラ、オカラ、オガクズなどの植物系物質を使用し、窒素、燐酸、カリウム、マグネシウム等の肥料を微粉末状にし、プロピレングリコールと界面活性材を混合化剤として添加、練合せを８０度Cにて行い、ペレットを製造する。この後、射出成型機により杭型に成型し製品と記載されている。
【０００５】
【特許文献１】特開平１１−２８９８３３号：生分解性肥料筒特開平１０−１５８０８３号：生分解性プラスチック杭型植物用肥料兼固定杭
【考案の開示】
【考案が解決しようとする課題】
【０００６】
　前記第１引用例（特開平１１−２８９８３３号）は、透明な生分解性プラスチックにより生分解性肥料筒体を形成してあって、その生分解性プラスチック自体には肥料成分が入っていない。したがって、生分解性肥料筒体は環境的に害にはならないがその容量分だけ肥料的には無駄がある。そのうえ、生分解性プラスチック製の筒体が土中で分解する際についての配慮がないし、組み立て自在に形成するという発想もない。
【０００７】
前記第２引用例（特開平１０−１５８０８３号）は、生分解性プラスチックを杭型に成型し、この成型物中に植物用肥料を混合させたものであるが、筒型ではなく、肥料を任意に組み合わせ充填することができない。成型物中に混合する肥料は、イモガラ、オカラ、オガクズなどの植物系物質と、窒素、燐酸、カリウム、マグネシウム等の化学肥料を微粉末状にし、プロピレングリコールと界面活性材を混合化剤として添加、練合せたものである。混合する植物系物質は、分解後に腐敗の原因となる可能性があるうえ、化学肥料は、肥料としての即効性はあるが、長期使用によって土壌の地力低下を起こすおそれがある。
【０００８】
この発明の肥料成分は、混合されたものに限られ量的にも成分的にも限定されているので、その実用性に欠けるという問題がある。
【０００９】
　本考案者は、前記従来技術を前提にして、生分解性ロケットカプセル自体を完熟堆肥を主体に形成し、生分解性ロケットカプセルの組み立てが自在なるようになし、肥料の区分と組み合わせが自在にできるようになし、更に、生分解性ロケットカプセルの分解に時間差が設けられるようにするなどの改良を加えて、高付加価値の付いた生分解性ロケットカプセル型肥料体を具現化しようとするものである。即ち本考案は、生分解性樹脂を用いてロケットカプセル型の固形肥料でありながら、これを土壌中に埋め込むと、土壌中に樹脂状の固形物を残さず、しかも収納された肥料成分が時間をかけて溶出し、土壌微生物にエネルギーを与え、活性化することにより土壌の肥力化を図らんとするものである。
【課題を解決するための手段】
【００１０】
　本考案は、前記のような解決すべき技術的課題を解消するため、次のような手段を講じるものである。
【００１１】
　実用新案登録を受けようとする第１考案は、含水率が１０％〜２０％になるまで発酵分解させてなる完熟堆肥を主体として、これに生分解性樹脂を結合材として混練したものをペレット状にして樹脂成形性堆肥原料となし、当該樹脂成形性堆肥原料を用いて、先端部を先細形状にした先端差込ブロックとなし、中間部を中間筒型胴体ブロックとなし、基端部を後端筒型胴体閉成ブロックに樹脂成形しておき、これらの部材を組み合わせて一体のロケット型肥料カプセル体となし、そのロケット型肥料カプセル体内に肥料や土壌改良材や必要に応じて幼苗又は種子を収納したことを特徴とする生分解性ロケットカプセル型肥料体である。
【００１２】
　実用新案登録を受けようとする第２考案は、中間筒型胴体ブロックの側壁の一部に厚さが肉薄となる部分を形成し、ロケット型肥料カプセル体が時間差をもって分解したり、崩壊したりするようになし、当該ロケット型肥料カプセル体に収納されている肥料や土壌改良材や必要に応じて幼苗又は種子の一部が時間をかけて次第に漏れ出たり溶出したりするようにしたことを特徴とする第２考案に記載する生分解性ロケットカプセル型肥料体である。
【００１３】
　実用新案登録を受けようとする第３考案は、含水率が１０％〜２０％になるまで発酵分解させてなる完熟堆肥を主体とし、これに生分解性樹脂を結合材として混練したものをペレット状にして樹脂成形性堆肥原料となし、当該樹脂成形性堆肥原料を用いて、組み立て自在に樹脂形成された、先端差込ブロックと、単数または複数の中間筒型胴体ブロックと、後端筒型胴体閉成ブロックとからなる、生分解性ロケットカプセル型肥料体であって、当該先端差込ブロックは、先端部を先細形状に形成しそれに連続して内側に空洞を有する胴体部を形成し、更にその後端部に連結嵌合凹部を形成してなり、前記中間筒型胴体ブロックは、中芯部に空洞を有する筒型胴体となっておりその筒型胴体の前端部は前記先端差込ブロックの嵌合部に挿入嵌合できる連結嵌合凸部が形成されており、同前端部には空洞を閉塞する節壁が形成されていて、その節壁には必要に応じて連通小孔が穿設されており、筒型胴体の後端開口部には連結嵌合凹部が形成されているが、当該中間筒型胴体ブロックを必要に応じて複数個用意してあり、前記後端筒型胴体閉成ブロックは、筒型胴体部の後端開口部を閉成し得る蓋部とその前面に前記中間筒型胴体ブロックの連結嵌合凹部に挿入嵌合できるような栓凸部が形成されてなり、前記先端差込ブロックの後ろに単数または複数の中間筒型胴体ブロックを嵌合連結し、更に当該中間筒型胴体ブロックの最後部における後端開口部に後端筒型胴体閉成ブロックを連結組み立てて全体がロケット型肥料カプセル体となるようになし、節壁により区分されている空洞内に肥料や土壌改良材や必要に応じて幼苗又は種子を収納したことを特徴とする組み立て式生分解性ロケットカプセル型肥料体である。
【００１４】
　実用新案登録を受けようとする第４考案は、含水率が１０％〜２０％になるまで発酵分解させてなる完熟堆肥を主体とし、これに生分解性樹脂を結合材として混練したものをペレット状にして樹脂成形性堆肥原料となし、当該樹脂成形性堆肥原料を用いて、組み立て自在に樹脂形成された、先端差込ブロックと、単数または複数の中間筒型胴体ブロックと、後端筒型胴体閉成ブロックとからなる、生分解性ロケットカプセル型肥料体であって、当該先端差込ブロックの胴体部における側壁や、中間筒型胴体ブロックの側壁の一部に厚さが肉薄となる部分を形成し、生分解性ロケットカプセル型肥料体が時間差をもって分解したり、崩壊したりするようになし、生分解性ロケットカプセル型肥料体内に収納されている肥料や土壌改良材や必要に応じて幼苗又は種子の一部が時間をかけて次第に漏れ出たり溶出したりするようにしたことを特徴とする第３発明に記載する生分解性ロケットカプセル型肥料体である。
【００１５】
実用新案登録を受けようとする第５考案は、畜糞を主体としてこれに動植物性有機質物を補助材として加えた堆肥原料の水分を６０％〜６５％に調整して発酵させ、その発酵工程中では切り返し作業を繰り返しながら発酵分解をさせ、含水率が１０％〜２０％になるまで発酵分解させてなる完熟堆肥を主原料となし、これに生分解性樹脂を結合材として混練したものをペレット状にしてなる樹脂成形性堆肥原料である。
【考案の効果】
【００１６】
第１考案は、含水率が１０％〜２０％になるまで発酵分解させてなる完熟堆肥を主体として、これに生分解性樹脂を結合材として混練したものをペレット状にして樹脂成形性堆肥原料を用いて、ロケット型肥料カプセル体を一体に樹脂成形したので、ロケット型肥料カプセル体自体が強力な有機肥料となり、無駄がない点が大きな特徴である。また、そのロケット型肥料カプセル体内には、各ブロック毎に肥料や土壌改良材や必要に応じて幼苗又は種子を収納したので、植物の種類や用途などに応じて自由に設計することができ、実用性が高い生分解性ロケットカプセル型肥料体となった。
【００１７】
第２考案に係る生分解性ロケットカプセル型肥料体は、筒型胴体部の側壁の一部に厚さが肉薄となる部分を形成し、ロケットカプセル体が時間差をもって分解したり、崩壊したりするようになし、ロケットカプセル体内に収納されている肥料や土壌改良材や必要に応じて幼苗又は種子の一部が時間をかけて次第に漏れ出たり溶出したりするようにした点が特徴である。空間があり、その中に肥料や土壌改良材や必要に応じて幼苗又は種子等を多量に収納できるが、これらすべてが同時に必要とすることは必ずしも多くない。普通の場合、少しづつ漏れ出たり溶出して長時間にわたり肥料効果があるようにすることが求められる。本考案は、このような要請に応じることのできるものである。
【００１８】
　第３考案は、第１考案に、組み立て自在の効果を付加した物である。即ち、完熟堆肥を主体とし、これに生分解性樹脂を結合材として混練した樹脂成形性堆肥原料を用いて、組み立て自在に樹脂形成された先端差込ブロックと、単数または複数の中間筒型胴体ブロックと、後端筒型胴体閉成ブロックとからなる、生分解性ロケットカプセル型肥料体である。必要に応じて組み立て自在にできるだけでなく、組み立てた際、各ブロックには空洞を閉塞する節壁が形成されていて竹の節のようにブロックごとに個別に区分された形状になっている。また、その節壁には、必要に応じて連通小孔が穿設されている。したがって、各ブロック毎に収納する肥料の種類を変更することができるし、上下の各ブロック間の組み合わせや混合効果などより複雑な設計が可能になる。このため、植物の種類や用途に応じて幅広い対応できるので、実用性が高い生分解性ロケットカプセル型肥料体となった。
【００１９】
第４考案は、第３考案に係る生分解性ロケットカプセル型肥料体であって、先端差込ブロックの胴体部における側壁や、中間筒型胴体ブロックの側壁の一部に厚さが肉薄となる部分を形成し、生分解性ロケットカプセル型肥料体が時間差をもって分解したり、崩壊したりするようになし、生分解性ロケットカプセル型肥料体内に収納されている肥料や土壌改良材や必要に応じて幼苗又は種子の一部が時間をかけて次第に漏れ出たり溶出したりするようにしたことが特徴である。即ち、第３考案に、更に生分解性ロケットカプセルの分解に時間差が設けられるという付加価値を付けたものである。
【００２０】
第５考案は、本願考案に係る生分解性ロケットカプセル型肥料体の成型するための完熟堆肥を主原料としたペレット状樹脂成形性堆肥原料である。肥料を収納するロケットカプセルを完熟堆肥で造ることができるので、肥料として無駄がない。
本願考案は、上記のように、改良を加えて高付加価値の付いた生分解性ロケットカプセル型肥料体にしたものである。
【考案を実施するための最良の形態】
【００２１】
　本考案は、含水率が１０％〜２０％になるまで発酵分解させてなる完熟堆肥を主体として、これに生分解性樹脂を結合材として混練したものをペレット状にして樹脂成形性堆肥原料となし、当該樹脂成形性堆肥原料を用いて、先端部を先細形状にした先端差込ブロックとなし、中間部を中間筒型胴体ブロックとなし、基端部を後端筒型胴体閉成ブロックに樹脂成形し、先端差込ブロックや中間筒型胴体ブロックの側壁の一部に厚さが肉薄となる部分を形成しておき、これらの部材を組み合わせて一体のロケット型肥料カプセル体となし、そのロケット型肥料カプセル体内に肥料や土壌改良材や必要に応じて幼苗又は種子を収納したことを特徴とする生分解性ロケットカプセル型肥料体である。
【実施例１】
【００２２】
　以下、本考案を図示実施例に基づいて詳細に説明する。
　図１は、第１考案、第２考案に係る生分解性ロケットカプセル型肥料体のロケット型肥料カプセル体の構成を示す斜視図であり、図２は、第１考案、第２考案に係る生分解性ロケットカプセル型肥料体のロケット型肥料カプセル体の構成を示す縦断側面図であり、図３は、第１考案、第２考案に係る生分解性ロケットカプセル型肥料体を示す斜視図である。図４は、第３考案、第４考案に係る生分解性ロケットカプセル型肥料体を示す斜視図であり、図５は、第３考案、第４考案に係る生分解性ロケットカプセル型肥料体の構成を示す縦断側面図である。
【００２３】
図１、図２に示すように、第１考案、第２考案のロケット型肥料カプセル体1は、先端差込ブロック2と中間筒型胴体ブロック3と後端筒型胴体閉成ブロック4から構成されている。これらのロケット型肥料カプセル体1の各ブロック部材は、含水率が１０％〜２０％になるまで発酵分解させてなる完熟堆肥を主体として、これに生分解性樹脂を結合材として混練したものをペレット状にして樹脂成形性堆肥原料となしたものを用いて樹脂成形したものである。
【００２４】
従来より、生分解性樹脂にイモガラ、オカラ、オガクズなどの植物系物質と、窒素、燐酸、カリウム、マグネシウム等の化学肥料を微粉末状にし、プロピレングリコールと界面活性材を混合化剤として添加、練合せたものはあるが、本考案は、牛糞や豚糞や食品残渣を主体としてこれに発酵補助材を加え水分調整したうえ、発酵分解させて完熟堆肥となしたものを主原料とし、これを含水率が１０％〜２０％となるように水分調整したうえ、生分解性樹脂のポリビニールアルコールを混練したものをペレット状にしたものである。完熟堆肥を主成分としたので、臭気がほとんどなく、分解後に再腐敗や再発酵を起こすことがないので、植物の根腐れなど根茎阻害現象を起こす心配がない。また、当該ポリビニールアルコールは、その重合度により、そのタイプを選定できるし、その添加量によって溶解時間の調整ができる。更に、成型容器体の接続は、表面に水を着けるだけで簡単に接合できるなどの特徴がある。
【００２５】
また、前記先端差込ブロック2は、先端部を先細形状2ｂに形成されているとともに、先端部分には打ち込み時の圧力に耐えられるようにリブ構造2ｃが形成されており、先細形状2ｂに連続して内側に空洞2ｆを有する筒型胴体２ａとなっており、その後端部に開口とともに連結嵌合凹部2ｄが形成されている。尚、当該筒型胴体２ａには適所に周囲より短時間に分解する肉薄部分2ｅが形成されている。
【００２６】
当該中間筒型胴体ブロック3は、中芯部に空洞3ａを有する筒型胴体3ｂとなっておりその筒型胴体3ｂの前端部には前記先端差込ブロック２の連結嵌合凹部2ｄに挿入嵌合できる連結嵌合凸部3ｃが形成されており、同前端部には空洞3ａを閉塞する節壁3ｄが形成されていて、その節壁3ｄには連通小孔3ｅが穿設されており、当該筒型胴体3ｂの後端開口部には連結嵌合凹部3ｆが形成されている。
【００２７】
前記後端筒型胴体閉成ブロック４は、中間筒型胴体ブロック3の筒型胴体部3ｂの後端開口部を閉成し得る蓋部4ａとその前面に連結嵌合凹部3ｆに挿入嵌合できるような栓凸部4ｂが形成されている。
【００２８】
本考案に係るロケット型肥料カプセル体1は、先端差込ブロックと中間筒型胴体ブロックと後端筒型胴体閉成ブロックとを連結嵌合凹部2ｄ，3ｆと連結嵌合凸部3ｃと栓凸部4ｂを嵌合するようにして組み合わせ、一体にすることができる。この際、連結嵌合凹部2ｄ，3ｆと連結嵌合凸部3ｃと栓凸部4ｂの表面を水で濡らしてから、嵌合組み合わせると接着した一体のロケット型肥料カプセル体1となる。当該ロケット型肥料カプセル体1における先端差込ブロック2の空洞2ｆ内と中間筒型胴体ブロック3の空洞3ａ内には、別々に肥料や土壌改良材や必要に応じて幼苗又は種子などの肥料等成分5ａ，5ｂを収納して、生分解性ロケットカプセル型肥料体となす。
【００２９】
本考案は、本来容器であるはずのロケット型肥料カプセル体を完熟堆肥を主原料として射出成型し、ロケット型肥料カプセル体を簡単に組み合わせ自在に成形できるので、取扱いが便利である。また、その内部の区分された空洞2ｆ，3ａ内には、異なる肥料等成分5ａ，5ｂを入れても、同じ肥料等成分5ａ，5ｂを収納してもよいので、植物の種類や用途に応じて多様な肥料の組合せを自在に設計することができることとなった。
【００３０】
また、各ブロック2，3毎の空洞2ｆ，3ａ内部が区分けされており、２段階に分かれて当該肥料等成分5ａ，5ｂの溶出が行われるので、その肥料効果を２段階に分けて長時間効率良く得ることができるうえ、分解速度の調整、肥料等成分の溶出調整をすることができる。
【００３１】
　尚、肥料等成分5ａ，5ｂの中に、幼苗又は種子などを混入しておくと、相当の時間経過後に発芽させることもできる等、多様な使い方が出来るので、実用性が高いものである。
【実施例２】
【００３２】
　図４は、本考案に係る先端差込ブロック2と２個の中間筒型胴体ブロック３，3と後端筒型胴体閉成ブロック４とを組み合わせて形成した他の実施態様の生分解性ロケットカプセル型肥料体である。図５は、図４に示した生分解性ロケットカプセル型肥料体の縦断面図である。これは、第３考案に係る生分解性ロケットカプセル型肥料体である。その構成は、含水率が１０％〜２０％になるまで発酵分解させてなる完熟堆肥を主体とし、これに生分解性樹脂を結合材として混練したものをペレット状にして樹脂成形性堆肥原料となし、当該樹脂成形性堆肥原料を用いて、先端差込ブロック2と、複数の中間筒型胴体ブロック3，3，…と、後端筒型胴体閉成ブロック4とが、樹脂形成されている。
【００３３】
図示した生分解性ロケットカプセル型肥料体の先端差込ブロック2は、先端部を先細形状2ｂに形成しそれに連続して内側に空洞2ｆを有する胴体部2ａを形成し、更にその後端部に連結嵌合凹部2ｄを形成している。
【００３４】
次に、前記中間筒型胴体ブロック3は、中芯部に空洞3ａを有する筒型胴体3ｂとなっており、その筒型胴体3ｂの前端部は前記先端差込ブロック2の嵌合凹部2ｄに挿入嵌合できる連結嵌合凸部3ｃが形成されており、同前端部には空洞3ａを閉塞する節壁3ｄが形成されていて、その節壁3ｄには連通小孔3ｅが穿設されており、当該筒型胴体3ｂの後端開口部には連結嵌合凹部3ｆが形成されているが、当該中間筒型胴体ブロック3を必要に応じて複数個用意してある。
【００３５】
また、前記後端筒型胴体閉成ブロック４は、筒型胴体部3ｂの後端開口部を閉成し得る蓋部4ａとその前面に前記中間筒型胴体ブロック3の連結嵌合凹部3ｆに挿入嵌合できるような栓凸部4ｂが形成されている。
【００３６】
更に、当該先端差込ブロック2の胴体部3ｂにおける側壁や、中間筒型胴体ブロック3の側壁の一部に厚さが肉薄となる肉薄部分2ｅ，3ｅを形成し、生分解性ロケットカプセル型肥料体が時間差をもって分解したり、崩壊したりするようになし、生分解性ロケットカプセル型肥料体内に収納されている肥料や土壌改良材や必要に応じて幼苗又は種子の一部が時間をかけて次第に漏れ出たり溶出したりするように構成してある。
【００３７】
その上で、前記先端差込ブロック2の後ろに単数または複数の中間筒型胴体ブロック3，3を嵌合連結し、更に当該中間筒型胴体ブロック3の最後部における後端開口部に後端筒型胴体閉成ブロック４を連結組み立てて，全体がロケット型肥料カプセル体1となるようにしたものであり、節壁3ｄにより区分されている空洞2ｆ，3ａ内に肥料や土壌改良材や必要に応じて幼苗又は種子などの肥料等成分5ａ，5ｂを収納した組み立て式生分解性ロケットカプセル型肥料体である。
【００３８】
当該本考案に係る生分解性ロケットカプセル型肥料体は、先端差込ブロック2と複数の中間筒型胴体ブロック３と後端筒型胴体閉成ブロック４とを自由に連結組み合わせてその長さを自由に設計製造できるものである。従って、果樹類や葉野菜や根菜類など、植物根の長さに合わせて連結でき、植物に対して調整することができる。
【００３９】
また、ロケットカプセル型体1と空洞内に収納する肥料や土壌改良材等を異なる物にすることができるだけでなく、空洞2ｆ，3ａ，3ａは、節壁3ｄ，3ｄによって区分けされており、各区分空洞2ｆ，3ａ，3ａ毎に養分の異なる肥料や土壌改良材等を内臓することが出来、それらの組み合わせもできるので、植物の種類やその用途や成長に合わせて多様な調整を自由にできるものである。
【００４０】
更に、空洞2ｆ，3ａ，3ａ毎内部に液体や水分量の多い粉末や固形物を入れることができるので、外部からの水分吸収によって膨張崩壊するだけでなく、内部からも同様に水分吸収により植物に合わせて養分供給の時間調整ができるものである。
【００４１】
更に又、当該中間筒型胴体ブロック3，3は、その前端部には空洞2ｆ，3ａ，3ａ毎を閉塞する節壁3ｄ，3ｄが形成されていて、その節壁3ｄ，3ｄには必要に応じて連通小孔3ｅ、3ｅが穿設されているので、余分な水分は当該連通小孔3ｅ，3ｅから下ヘ排水されるし、最下端部の先端差込ブロック2の先端部は、早期分解する可能性が高く土壌中の水分と収納されている肥料等成分との水分調整や通気性が早期にできるので、土壌微生物を活性化させることができる。
【産業上の利用可能性】
【００４２】
　本考案にかかる生分解性ロケットカプセル型肥料体は、ロケット型や杭型の肥料体と称されており、土壌に簡単に差し込んだり、打ち込むことにより簡単に使用できる。そして、ロケット型肥料カプセル体と、その区分された空洞内に複数の肥料等を自由に組み合わせて収納調整することができるうえ、そのブロック数を自由に選定して簡単に連結組み立てが可能ができるので、必要に応じて自由にその大きさと肥料の種類と量を設計製造ができるものである。従って、農園や造園や緑化工事などでの植生作業に高い実用性を発揮する物である。
【図面の簡単な説明】
【００４３】
【図１】第１考案、第２考案に係る生分解性ロケットカプセル型肥料体のロケット型肥料カプセル体の構成を示す斜視図である。
【図２】第１考案、第２考案に係る生分解性ロケットカプセル型肥料体のロケット型肥料カプセル体の構成を示す縦断側面図である。
【図３】第１考案、第２考案に係る生分解性ロケットカプセル型肥料体を示す斜視図である。
【図４】第３考案、第４考案に係る生分解性ロケットカプセル型肥料体を示す斜視図である。
【図５】第３考案、第４考案に係る生分解性ロケットカプセル型肥料体を示す斜視図である。
【符号の説明】
【００４４】
　　１：ロケット型肥料カプセル体
　　２：先端差込ブロック
　２ａ：筒型胴体
２ｂ：先細形状
　２ｃ：リブ構造
　２ｄ：連結嵌合凹部
　２ｅ：肉薄部分
　２ｆ：空洞
３：中間筒型胴体ブロック
　３ａ：空洞
　３ｂ：筒型胴体
　３ｃ：連結嵌合凸部
　３ｄ：節壁
　３ｅ：連通小孔
　３ｆ：連結嵌合凹部
４：後端筒型胴体閉成ブロック
　４ａ：蓋部
　４ａ：栓凸部
　５ａ：肥料等成分
５ｂ：肥料等成分
【図１】
0003100525.tif 000003
【図２】
0003100525.tif 000004
【図３】
0003100525.tif 000005
【図４】
0003100525.tif 000006
【図５】
0003100525.tif 000007